(57)【要約】外郭４は外郭側面４ａに複数の外郭貫通孔７を有し、操作基板保持部材６は外郭貫通孔７に貫通して外郭４に固定されることで、単純で安価な構成で操作基板３を外郭側面４ａに固定して保持でき、操作基板保持部材６の本体内での占有スペースを小さくしかつ本体内のスペースを有効に活用することができるため外郭４の薄型化を実現できる誘導加熱調理器となる。
2015040865.tif 000002
【特許請求の範囲】
【請求項１】
上方に開口部を有し有底箱状に形成された外郭と、
前記外郭の開口部を覆い被加熱物を載置する天板と、
前記天板の下方に配置され前記被加熱物を誘導加熱するコイルユニットと、
前記天板の下方に位置し使用者からの操作を受け付ける操作基板と、を備え、
前記操作基板を下面側から支えて保持する操作基板保持部が前記外郭の外郭側面に設けられ、前記操作基板の外周の少なくとも一部が前記外郭内において水平方向に開放されている、誘導加熱調理器。
【請求項２】
前記外郭側面に設けられた外部貫通孔を貫通して前記外郭側面に固定された保持部材をさらに備え、前記保持部材は前記操作基板保持部として前記操作基板を下面側から支えて保持する、請求項１に記載の誘導加熱調理器。
【請求項３】
前記外郭の左外郭側面と右外郭側面の間に配置され前外郭側面と後外郭側面とを連結する金属製の支持部材を有し、
前記操作基板の下面側の一部は前記操作基板保持部に保持されるとともに、前記操作基板の下面側の他の一部は電気絶縁部材を介して前記支持部材に保持される、請求項１または２に記載の誘導加熱調理器。
【請求項４】
前記外郭の左外郭側面と右外郭側面の間に配置され前外郭側面と後外郭側面とを連結する電気絶縁材料である樹脂製の支持部材を有し、
前記操作基板の下面側の一部は前記操作基板保持部に保持されるとともに、前記操作基板の下面側の他の一部は前記支持部材に保持される、請求項１または２に記載の誘導加熱調理器。
【請求項５】
前記支持部材は前記コイルユニットを支持する、請求項３または４に記載の誘導加熱調理器。
【請求項６】
前記支持部材に設けられた貫通孔を貫通して前記支持部材に固定された固定部材をさらに備え、前記固定部材は前記操作基板を下面側から支えて保持する、請求項３または４に記載の誘導加熱調理器。
【請求項７】
前記外郭側面は、第１の側面の下端と前記第１の側面よりも内側に形成された第２の側面の上端との間に略水平に形成された水平面である水平面部を有し、前記操作基板保持部は前記水平面部に設けられる、請求項１または２に記載の誘導加熱調理器。
【請求項８】
前記外郭は、前記水平面部を前外郭側面と、左外郭側面または右外郭側面に有し、前記操作基板は、前記前外郭側面の前記水平面部に設けられた前記操作基板保持部と、前記左外郭側面または前記右外郭側面の前記水平面部に設けられた前記操作基板保持部とにより保持される、請求項７に記載の誘導加熱調理器。
【請求項９】
前記操作基板の配線パターンが、前記操作基板保持部が設けられた前記水平面部と、上から見たときに重ならないように、前記水平面部の前記操作基板保持部により前記操作基板が保持される、請求項７または８に記載の誘導加熱調理器。
【請求項１０】
前外郭側面および後外郭側面は、第１の側面の下端と前記第１の側面よりも内側に形成された第２の側面の上端との間に略水平に形成された水平面である水平面部を有し、前記支持部材は、前記前外郭側面の前記水平面部と前記後外郭側面の前記水平面部に両端が載置されている、請求項３または４に記載の誘導加熱調理器。
【請求項１１】
前記外郭側面は、第１の側面の下端と前記第１の側面よりも内側に形成された第２の側面の上端との間に略水平に形成された水平面である水平面部を有し、上方に突出する凸部が前記水平面部に形成され、前記凸部は前記操作基板保持部として前記操作基板を下面側から支えて保持する、請求項１に記載の誘導加熱調理器。
【請求項１２】
前記操作基板は取り付け孔を有し、前記取り付け孔を利用して前記操作基板保持部に固定される、請求項１から１１のいずれか１つに記載の誘導加熱調理器。
【発明の詳細な説明】
【技術分野】
【０００１】
本発明は、誘導加熱調理器の操作基板の保持構成に関するものである。
【背景技術】
【０００２】
従来、この種の誘導加熱調理器では、操作基板が有底略箱形状のホルダー内に収められ、このホルダーは外郭に固定されている（例えば、特許文献１参照）。【０００３】
図１２は、特許文献１に記載された従来の誘導加熱調理器の操作基板保持構成を示すものである。図１２に示すように、トッププレート１１１の下方に配置された操作基板１１３は、有底略箱形状の操作基板ホルダー１１７内に収められている。この操作基板ホルダー１１７は例えば樹脂で形成されており、外郭１１８に固定されている。これにより、操作基板１１３は、その外周全体が操作基板ホルダー１１７により水平方向に囲まれた状態にて外郭１１８内に取り付けられている。
【先行技術文献】
【特許文献】
【０００４】
【特許文献１】特開２００６−２０２６２３号公報
【発明の概要】
【発明が解決しようとする課題】
【０００５】
近年、このような誘導加熱調理器では、小型化・薄型化が市場からの要求事項のひとつになっている。しかしながら上述のような従来の構成では、操作基板１１３は有底略箱形状の操作基板ホルダー１１７内に収められているため、操作基板ホルター１１７は操作基板１１３の外径形状よりも大きな箱状の構造とする必要がある。そのため、従来の操作基板ホルダー１１７は誘導加熱調理器の小型化・薄型化を実現する際の阻害要因となる。【０００６】
また、操作基板ホルダー１１７はある特定の操作基板１１３に対応して形成されるものであり、内部の部品実装の高密度化を図るため、一般的には操作基板１１３の形状が変わると操作基板ホルダー１１７の形状も変更されている。誘導加熱調理器において操作部レイアウトのバリエーションが多種多様になると、操作基板１１３の形状のバリエーションも多くなる。それに伴い操作基板ホルダー１１７の形状が多数必要となり、開発工数や金型投資などコスト面で大きな負担になってしまうという課題もある。【０００７】
本発明は、上述のような従来の課題を解決するもので、簡単な構成で操作基板を保持でき、スペースを有効活用できる誘導加熱調理器を提供することを目的とする。
【課題を解決するための手段】
【０００８】
前記従来の課題を解決するために、本発明の誘導加熱調理器は、上方に開口部を有し有底箱状に形成された外郭と、外郭の開口部を覆い被加熱物を載置する天板と、天板の下方に配置され被加熱物を誘導加熱するコイルユニットと、天板の下方に位置し使用者からの操作を受け付ける操作基板と、を備え、操作基板を下面側から支えて保持する操作基板保持部が外郭の外郭側面に設けられ、操作基板の外周の少なくとも一部が外郭内において水平方向に開放される構成としたものである。
【発明の効果】
【０００９】
本発明の誘導加熱調理器は簡単な構成で操作基板を外郭側面に固定できるため、操作基板保持部の本体内の占有スペースを小さくすることで、低価格化および本体の薄型化を実現することができる。
【図面の簡単な説明】
【００１０】
【図１】本発明の実施の形態１における誘導加熱調理器の要部断面図
【図２】実施の形態１の誘導加熱調理器の操作基板保持部材にロック機構で操作基板が取り付けられた状態を示す要部断面図
【図３】実施の形態１の誘導加熱調理器の操作基板保持部材にねじで操作基板が取り付けられた状態を示す要部断面図
【図４】実施の形態１の誘導加熱調理器の操作基板保持部材の斜視図
【図５】本発明の実施の形態２の誘導加熱調理器のトッププレートユニットを外した状態の斜視図
【図６】実施の形態２の誘導加熱調理器のトッププレートユニットとコイルユニットを外した状態の一部分解斜視図
【図７】実施の形態２の誘導加熱調理器のトッププレートユニットを外した状態の本体後方側からの一部分解斜視図
【図８】実施の形態２の誘導加熱調理器の要部断面図
【図９】実施の形態２（変形例）の誘導加熱調理器の操作基板を外側（コーナー部）に配置する場合におけるトッププレートユニットを外した状態の斜視図
【図１０】実施の形態２（変形例）の誘導加熱調理器の操作基板取り付け用の凸部の要部断面図
【図１１】実施の形態２の誘導加熱調理器のトッププレートユニットを外した状態の操作基板と外郭との位置関係を表す平面図
【図１２】従来の誘導加熱調理器の操作基板周辺の要部断面図
【発明を実施するための形態】
【００１１】
第１の発明の誘導加熱調理器は、上方に開口部を有し有底箱状に形成された外郭と、外郭の開口部を覆い被加熱物を載置する天板と、天板の下方に配置され被加熱物を誘導加熱するコイルユニットと、天板の下方に位置し使用者からの操作を受け付ける操作基板と、を備え、操作基板を下面側から支えて保持する操作基板保持部が外郭の外郭側面に設けられ、操作基板の外周の少なくとも一部が外郭内において水平方向に開放されている、ものである。このような構成によれば、簡単な構成で操作基板を外郭側面で保持できるので、本体上方の空間を操作基板の設置空間として有効に活用しかつ操作基板保持部の占有スペースを小さくすることができる。したがってそれにより空いたスペースに、コイルユニットに高周波電流を供給する制御基板などの別の部品を配置できるため、本体内のスペースを有効に活用することができ、例えば、本体の薄型化を実現することができる。
【００１２】
第２の発明は、第１の発明の誘導加熱調理器において、外郭側面に設けられた外部貫通孔を貫通して外郭側面に固定された保持部材をさらに備え、保持部材は操作基板保持部として操作基板を下面側から支えて保持する、ようにしたものである。これにより、外郭側面の外部貫通孔を貫通して外郭側面に固定された保持部材により操作基板を下面側から支えて保持することができ、操作基板保持部の本体内の占有スペースを小さくすることができる。
【００１３】
第３の発明は、第１または第２の発明の誘導加熱調理器において、外郭の左外郭側面と右外郭側面の間に配置され前外郭側面と後外郭側面とを連結する金属製の支持部材を有し、操作基板の下面側の一部は操作基板保持部に保持されるとともに、操作基板の下面側の他の一部は電気絶縁部材を介して支持部材に保持される、ようにしたものである。これにより、操作基板を操作基板保持部に加えて、支持部材によっても保持することができ、多様な大きさ、形状を有する操作基板の保持に対応することができる。支持部材は外郭の前後を連結しているため、外郭の剛性も増すことができるため、外郭の厚みを薄くでき、安価な誘導加熱調理器を提供することができる。
【００１４】
第４の発明は、第１または第２の発明の誘導加熱調理器において、外郭の左外郭側面と右外郭側面の間に配置され前外郭側面と後外郭側面とを連結する電気絶縁材料である樹脂製の支持部材を有し、操作基板の下面側の一部は操作基板保持部に保持されるとともに、操作基板の下面側の他の一部は支持部材に保持される、ようにしたものである。これにより、操作基板を操作基板保持部に加えて、支持部材によっても保持することができ、多様な大きさ、形状を有する操作基板の保持に対応することができる。支持部材は外郭の前後を連結しているため、外郭の剛性も増すことができるため、外郭の厚みを薄くでき、安価な誘導加熱調理器を提供することができる。また、支持部材自体が電気絶縁材料にて形成されているため、別途電気絶縁部材を設ける必要もなくすことができる。
【００１５】
第５の発明は、第３または第４の発明の誘導加熱調理器において、支持部材はコイルユニットを支持する、ようにしたものである。これにより、コイルユニットを支持する支持部材を利用して操作基板を保持することができ、誘導加熱調理器において、部品点数を少なくすることができるとともに、スペースの有効利用を図ることができる。
【００１６】
第６の発明は、第３または第４の発明の誘導加熱調理器において、支持部材に設けられた貫通孔を貫通して支持部材に固定された固定部材をさらに備え、固定部材は操作基板を下面側から支えて保持する、ようにしたものである。これにより、支持部材の貫通孔を貫通して支持部材に固定された固定部材により操作基板を下面側から支えて保持することができ、簡単な構成で操作基板を保持することができる。
【００１７】
第７の発明は、第１または第２の発明の誘導加熱調理器において、外郭側面は、第１の側面の下端と第１の側面よりも内側に形成された第２の側面の上端との間に略水平に形成された水平面である水平面部を有し、操作基板保持部は水平面部に設けられる、ようにしたものである。水平面部に操作基板保持部を設けるようにしているため、操作基板保持部の形状を簡単な構成としながら、安定して操作基板を保持することができる。また、組み立ても容易とすることができ、安価な誘導加熱調理器を提供することができる。
【００１８】
第８の発明は、第７の発明の誘導加熱調理器において、外郭は、水平面部を前外郭側面と、左外郭側面または右外郭側面に有し、操作基板は、前外郭側面の水平面部に設けられた操作基板保持部と、左外郭側面または右外郭側面の水平面部に設けられた操作基板保持部とにより保持される、ようにしたものである。これにより、外郭の右隅または左隅またはその両側に操作基板を配置することができ、例えば、操作部の配置を変更することによる商品バリエーションを豊富にすることが可能となる。
【００１９】
第９の発明は、第７または第８の発明の誘導加熱調理器において、操作基板の配線パターンが、操作基板保持部が設けられた水平面部と、上から見たときに重ならないように、水平面部の操作基板保持部により操作基板が保持される、ようにしたものである。これにより、水平面部と配線パターンとの空間距離を増やすことができ、絶縁性能を向上させることができるため、信頼性の高い誘導加熱調理器を提供することができる。
【００２０】
第１０の発明は、第３または第４の発明の誘導加熱調理器において、前外郭側面および後外郭側面は、第１の側面の下端と第１の側面よりも内側に形成された第２の側面の上端との間に略水平に形成された水平面である水平面部を有し、支持部材は、前外郭側面の水平面部と後外郭側面の水平面部に両端が載置されている、ようにしたものである。これにより、支持部材が前外郭側面の水平面部と後外郭側面の水平面部に架設されるため、外郭の剛性を増すことができる。よって、外郭の厚みを薄くでき、さらに、組立性が向上し、安価な誘導加熱調理器を提供することができる。
【００２１】
第１１の発明は、第１の発明の誘導加熱調理器において、外郭側面は、第１の側面の下端と第１の側面よりも内側に形成された第２の側面の上端との間に略水平に形成された水平面である水平面部を有し、上方に突出する凸部が水平面部に形成され、凸部は操作基板保持部として操作基板を下面側から支えて保持する、ようにしたものである。これにより、操作基板保持部として別の部材を用いることなく、外郭側面に形成された凸部を用いることができ、部品点数を減らすことができる。
【００２２】
第１２の発明は、第１から第１１の発明の誘導加熱調理器において、操作基板は取り付け孔を有し、取り付け孔を利用して操作基板保持部に固定される、ようにしたものである。
【００２３】
以下、本発明の実施の形態について、図面を参照しながら説明する。なお、この実施の形態によって本発明が限定されるものではない。
【００２４】
（実施の形態１）
図１は本発明の実施の形態１における誘導加熱調理器の要部側断面図を示し、図２は同誘導加熱調理器の操作基板保持部材にロック機構で操作基板が取り付けられた状態を示す要部断面図を示すものである。図３は実施の形態１の誘導加熱調理器の操作基板保持部材にねじで操作基板が取り付けられた状態を示す要部断面図を示し、図４は同誘導加熱調理器の操作基板保持部材の斜視図を示すものである。
【００２５】
図１〜４に示すように、本実施の形態１の誘導加熱調理器１００において、上方に開口部４ｃを有し有底箱状に形成された外郭４と、外郭４の開口部４ｃを覆い被加熱物Ｐを載置する天板１により、部品を収納するための本体（筐体）が構成されている。被加熱物Ｐが載置される天板１と、天板１の下面に上面が接着されるとともに略Ｌ字型の断面形状を有する天板支持金具１２とによりトッププレートユニット１３が構成されている。トッププレートユニット１３は外郭４の側面に固定されている。
【００２６】
被加熱物Ｐを誘導加熱するコイルユニット２と、コイルユニット２の前方に配置された操作基板３と、外郭底面４ｂに配置された制御基板５とが、トッププレートユニット１３の下方に配置されている。操作基板３は、使用者からの操作を受け付ける静電式タッチコントロールを構成する端子１４を備えている。制御基板５は、コイルユニット２に高周波電流を供給する。制御基板５は制御基板保持部材１１によって保持されており、操作基板３は操作基板保持部材６によって操作基板３の下面側から支えられて保持されている。操作基板保持部材６の一端は外郭側面４ａに設けられた外郭貫通孔７（外郭側面４ａを内外に貫通する孔）を貫通しており、これにより操作基板保持部材６が外郭側面４ａに取り付けられている。本実施の形態１では、操作基板保持部材６（保持部材）が、操作基板３を下面側から支えて保持する操作基板保持部の一例となっている。
【００２７】
図２に示すように、操作基板３には厚み方向に貫通する取り付け孔８が設けられており、操作基板保持部材６の他端はこの取り付け孔８を貫通している。これにより、操作基板保持部材６は操作基板３を下面側から支えるとともに操作基板３を保持している。なお、操作基板保持部材６の他端において、操作基板３の取り付け孔８を貫通した先端に取り付け孔８よりも大きな径を有するロック機構６ｅを設けて、操作基板３が上方に抜けないような構成としてもよい。また、図３に示すように、操作基板保持部材６の他端をねじ９によって機械的に操作基板３に固定するような構成としてもよい。
【００２８】
ここで、外郭４に操作基板保持部材６を固定するための構成の一例について図４を用いて説明する。図４に示すように、操作基板保持部材６は、水平保持部６ａと、水平保持部６ａの一端に形成された固定部６ｂと、水平保持部６ａの他端から垂直に延設された垂直保持部６ｃとを備える。固定部６ｂは外郭貫通孔７の径よりも大きな外形形状を有し、厚み方向に貫通する取り付け孔６ｂｂが設けられている。垂直保持部６ｃの上端には、垂直保持部６ｃの径よりも小さな外形形状を有し上方に突出する突出部６ｄが設けられており、突出部６ｄの先端にはロック機構６ｅが設けられている。水平保持部６ａの側面における固定部６ｂの近傍には、側面から径方向外向きに突出した回転防止部６ｆが設けられている。外郭側面４ａには、外郭貫通孔７とねじ孔４ｄとが形成されている。外部貫通孔７に対して、ロック機構６ｅから順に、突出部６ｄ、垂直保持部６ｃ、水平保持部６ａを貫通させる。その後、取り付け孔６ｂｂを貫通させたねじ９を外郭側面４ａのねじ孔４ｄに締め込み外郭側面４ａに締結することにより、操作基板保持部材６を外郭側面４ａに固定することができる。この場合に、回転防止部６ｆが設けられていることにより、外郭４のねじ孔４ｄと固定部６ｂの取り付け孔６ｂｂとの位置合わせが容易となる。なお、このような回転防止部６ｆは省略してもよい。また、外郭貫通孔７に対して操作基板保持部材６が回転しないような形状としかつ操作基板保持部材６が抜けないようなロック機構（図示せず）をさらに設けて、外郭４に操作基板保持部材６を固定してもよい。
【００２９】
以上のように構成された本実施の形態１の誘導加熱調理器１００について、以下その動作・作用について説明する。
【００３０】
本実施の形態１の誘導加熱調理器１００を組み立てる際は、まず外郭底面４ｂに制御基板保持部材１１を固定し、制御基板保持部材１１の上面に制御基板５を載置して保持させる。次に、外郭側面４ａに設けられた外郭貫通孔７に操作基板保持部材６を挿入し、操作基板保持部材６が回転しないように操作基板保持部材６を外郭側面４ａに固定させる。その後、操作基板３を操作基板保持部材６上に載置し固定させる。その後、コイルユニット２を取り付け、トッププレートユニット１３と外郭４とを固定させて完成する。
【００３１】
このように簡単な構成の操作基板保持部材６を外郭側面４ａに固定することにより、外郭４内において操作基板３を保持するための部材の占有空間を縮小し、その周囲または下方に制御基板５や他の部品を配置することができる。そのため、誘導加熱調理器１００において、限られた本体スペースの中で部品を効率よく配置することができる。したがって、従来のもの、例えば、操作基板を保持していた樹脂ケース（例えば、図１２の操作基板ホルダー１１７）などに比べ、操作基板を保持するための構成をコンパクトなものとすることができる。よって、本体高さをより低くすることができかつ安価な構成で操作基板の保持構成を実現できる。
【００３２】
また、操作基板保持部材６は、操作基板３の外周を外郭４内において水平方向に開放させた状態にて、操作基板３を保持している。すなわち、操作基板保持部材６は、操作基板３を箱状の部材などで囲むことなく、水平方向に開放した状態で保持している。よって、操作基板保持部材６は、操作基板の外形形状に拘わらず様々な形態の操作基板を保持することができる。よって、操作基板の形態に拘わらず、操作基板保持部材６を共用して利用することができ、開発工数や金型投資などコスト面における負担を軽減できる。また、外郭４内において操作基板３の外周が水平方向に開放された状態にあるため、従来のように囲われた状態に比べて、冷却効果を高めることができる。
【００３３】
なお、操作基板３下方には制御基板５が配置されているが、制御基板５との空間距離を確保するように操作基板保持部材６を設計することで絶縁性能を確保することができる。操作基板保持部材６は、従来、操作基板を保持していた樹脂ケース（例えば、操作基板ホルダー１１７など）に比べ、簡単な構成であるため安価なものとすることができる。
【００３４】
以上のように、本実施の形態１の誘導加熱調理器１００においては、上記構成とすることにより、近年、誘導加熱調理器の薄型化・低価格化が市場で求められている中で、本体を薄型化できかつ低価格化できる誘導加熱調理器を実現することができる。
【００３５】
（実施の形態２）
図５は本発明の実施の形態２における誘導加熱調理器２００のトッププレートユニットを外した状態の斜視図を示し、図６は同誘導加熱調理器のトッププレートユニットとコイルユニットを外した状態の一部分解斜視図を示す。図７は本実施の形態２の誘導加熱調理器のトッププレートユニットを外した状態の本体後方向側からの一部分解斜視図を示し、図８は同誘導加熱調理器の要部断面図を示す。図９は本実施の形態２の変形例において誘導加熱調理器の操作基板を外側（コーナー部）に配置する場合におけるトッププレートユニットを外した状態の斜視図を示す。図１０は別の変形例において誘導加熱調理器の操作基板取り付け用の凸部の要部断面図を示し、図１１は本実施の形態２の誘導加熱調理器のトッププレートユニットを外した状態の操作基板と外郭との位置関係を表す平面図を示す。
【００３６】
図５〜図１１において、外郭１５は、本体の外装部分である筐体を構成しており、上方に開口部１５ｃを有し有底箱状に形成されている。図８に示すように、外郭１５の開口部１５ｃはトッププレートユニット１３により覆われている。外郭側面１５ａは、途中に水平面部１５ａｃが形成された段差形状を有している（特に図８参照）。この段差形状は、水平面部１５ａｃの外側で上方に折り曲げられて形成される第１の側面１５ａａ、水平面部１５ａｃの内側で下方に折り曲げられて形成される第２の側面１５ａｂから構成されている。すなわち、外郭側面１５ａは、第１の側面１５ａａの下端と第１の側面１５ａａよりも内側に形成された第２の側面ａｂの上端との間に略水平に形成された水平面である水平面部１５ａｃが形成された段差形状を有している。また、外郭１５は、第１の側面１５ａａの上端で外側に折り曲げられて略水平に張り出すフランジ１５ｄを備える。第２の側面１５ａｂは、外郭底面１５ｂの端部で上方向に折り曲げられて形成される。ここで、「略水平」とは、鉛直方向に対して交差する方向を意味し、概ね横方向であれば水平方向に対して多少傾斜している方向をも含む。
【００３７】
図５、図６、図７に示すように、外郭１５の左側の外郭側面１５ａ（左外郭側面ともいう）と右側の外郭側面１５ａ（右外郭側面ともいう）との間（すなわち、左右方向の略中央）には金属製の支持部材１８が前後方向に配置されている。支持部材１８は、外郭１５の前側の外郭側面１５ａ（前外郭側面ともいう）及び後側の外郭側面１５ａ（後外郭側面ともいう）に形成された水平面部１５ａｃに固定されている。すなわち、支持部材１８は、前外郭側面１５ａと後外郭側面１５ａとを橋渡すように両者を連結している。なお、図６および図７では、操作基板１６と絶縁板１９とが分解された状態を示している。
【００３８】
図８に示すように、操作基板１６の下方において、支持部材１８上面には絶縁板１９（電気絶縁部材の一例）が載置されている。外郭側面１５ａ（例えば、前外郭側面）の水平面部１５ａｃには外郭貫通孔１５ｅが設けられており、複数の操作基板保持部材１７がそれぞれの外郭貫通孔１５ｅを貫通して水平面部１５ａｃ、すなわち外郭１５に固定されている。同様に、支持部材１８には支持部材貫通孔１８ａが設けられており、複数の固定部材１７ａがそれぞれの支持部材貫通孔１８ａを貫通して支持部材１８に固定されている。絶縁板１９には絶縁板貫通孔１９ａが設けられており、固定部材１７ａが絶縁板貫通孔１９ａを貫通している。これにより絶縁板１９は水平方向の移動が固定部材１７ａにより規制される。また、操作基板１６には、操作基板保持部材１７および固定部材１７ａのそれぞれに対応するように取り付け孔１６ａが形成されている。
【００３９】
図１１に示すように、操作基板１６は、上から見て、操作基板１６と水平面部１５ａｃとが重なる部分の裏面には配線パターン２６が配置されていない。すなわち、上方から見て、操作基板１６の配線パターン２６が水平面部１５ａｃに重ならないように、水平面部１５ａｃに固定された操作基板保持部材１７により操作基板１６が保持されている。
【００４０】
図５に示すように、誘導加熱調理器２００において、コイルユニット２ａ、コイルユニット２ｂ、コイルユニット２ｃ、コイルユニット２ｄは、それぞれ配置場所が異なり、大きさまたは形状において異なるものもあるが、ほぼ同様の構成であるので、代表して、コイルユニット２ａ及びその周辺の構成について説明する。左外郭側面１５ａ及び右外郭側面１５ａの水平面部１５ａｃおよび支持部材１８上には図８に示すように、突起２０が形成され、それぞれの突起２０にばね２５が差し込まれており、コイルユニット２ａはばね２５上に載置されている。シールド板２４に形成された位置決め用突起２１がばね２５に挿入されることでコイルユニット２ａの位置決めを行っている。シールド板２４は外周部に上方に折り曲げられて形成されたフランジ２２を有しており、フランジ２２の端面は、トッププレートユニット２３を構成し天板２３ａ裏面に接着され固定されている金属製のフレーム２３ｃに当接している。なお、コイルユニット２ａを支持する構成は、その他様々な構成を採用してもよく、例えば、ばね２５を用いずにコイルユニット２ａを支持するような構成を採用してもよい。
【００４１】
以上のように構成された本実施の形態２の誘導加熱調理器２００について、以下その動作・作用について説明する。
【００４２】
本実施の形態２における誘導加熱調理器２００を組み立てる際には、実施の形態１における誘導加熱調理器１００と同様、外郭１５に制御基板保持部材１１を固定し、制御基板保持部材１１に制御基板５を固定する。この固定方法は実施の形態１と同じなので説明を省略する。
【００４３】
操作基板１６と外郭側面１５ａに形成された水平面部１５ａｃとは平行である。したがって、操作基板１６の外郭１５への固定を、水平面部１５ａｃを利用することで、操作基板保持部材１７を曲がった形状とする必要がなく、例えば上下方向に直線状の形態に形成することができる。このため操作基板保持部材１７の形状をさらに簡単なものにできるとともに組立が容易になる。操作基板保持部材１７は水平面部１５ａｃに対して、図４に示す構成と同様にねじ等で固定したりロック機構を用いて固定したりしてもよい。また、操作基板保持部材１７に図２のロック機構６ｅや図３のねじ９と同様の部材で操作基板１６を固定してもよい。
【００４４】
また、支持部材１８の上には絶縁板１９が載置され、操作基板１６と支持部材１８の間に絶縁板１９が介在しているため、操作基板１６の裏面と支持部材１８間に必要な電気絶縁性能を容易に確保することができる。また、操作基板１６下方において、支持部材１８が位置していない部分に関しては、操作基板１６と制御基板５との間の空間距離を確保することで絶縁距離が確保できる場合には、操作基板１６の下方に絶縁板１９を設ける必要はない。この場合、絶縁板１９の面積を操作基板１６の面積以下に減少させることにより、さらに操作基板１６の絶縁用部品を安価に構成することができる。
【００４５】
また、支持部材１８が外郭１５の前後に形成された前外郭側面１５ａ及び後外郭側面１５ａに架設され固定されることで、前外郭側面１５ａおよび後外郭側面１５ａを連結して、前後からの荷重や衝撃に対して外郭１５の剛性が増す。キッチンへの設置時において、本体を包装箱から取り出した際、通常は左右の外郭側面１５ａを保持して運搬する。このとき、前後の外郭側面１５ａはキッチンや家具にぶつける可能性がある。しかし、本実施の形態２の構成によれば、前後の外郭側面１５ａの剛性が増しているため、万が一ぶつけても外郭１５が変形する可能性を低減でき、信頼性の高い誘導加熱調理器を提供することができる。
【００４６】
また、操作基板１６は、その真上から見て、操作基板１６と水平面部１５ａｃが重なる部分の裏面には配線パターン２６が配置されていない。そのため、水平面部１５ａｃと操作基板１６の充電部との間により大きな絶縁距離を確保することができ、信頼性の高い誘導加熱調理器を提供することができる。
【００４７】
なお、支持部材１８の少なくとも一部を樹脂などの電気絶縁材料で構成してもよく、このときは絶縁板１９が不要になるため、さらに安価な操作基板１６の保持構成を実現することができる。支持部材の全部を樹脂などの電気絶縁材料で構成してもよい。
【００４８】
なお、水平面部１５ａｃ設けられた外郭貫通孔１５ｅに挿入された操作基板保持部材１７で操作基板１６を保持する構成とする替わりに、図１０の変形例に示すように、水平面部１５ａｃに設けた凸部２７を操作基板保持部の一例として用いるようにしてもよい。具体的には、水平面部１５ａｃにおいて、上方に突出した凸形状に変形させかつこの凸形状の上面にねじ孔２７ａを設けた凸部２７が形成されている。ねじ１０を、操作基板１６に設けた取り付け孔１６ａを貫通させ、ねじ孔２７ａに締め付けて水平面部１５ａｃに操作基板１６が固定される。すなわち、外郭１５に内側に向けて凸形状を形成し、これによって操作基板保持部を構成してもよい。この場合に、前述のように配線パターン２６も水平面部１５ａｃ上方には配置されていないようにすることで、充電部である配線パターン２６と非充電部である外郭１５との間の絶縁距離も確保することができる。この構成では、水平面部１５ａｃに挿入された操作基板保持部材１７を省略することができるため、安価に誘導加熱調理器を構成することができる。
【００４９】
なお、操作基板１６を左右に寄せて配置したい場合には、図９の変形例に示すように、前側の外郭側面１５ａおよび左右の外郭側面１５ａに設けられた水平面部１５ａｃに操作基板保持部材１７を固定し、操作基板１６の２辺を水平面部１５ａｃで保持することで安定して保持することができる。これによって仕向地によって操作部（図示していない）のレイアウトを変えたい場合においても柔軟に対応することができ、バリエーション展開に優れた誘導加熱調理器を提供することができる。このときも操作基板１６の裏面の配線パターン２６は水平面部１５ａｃ上方には配置されていない。また、操作基板１６の裏面の配線パターンと制御基板５との間の絶縁距離を確保するように配置することで、従来の誘導加熱調理器で用いられていた、操作基板１６を収納する樹脂製のケースが不要となる。よって、安価で薄型の誘導加熱調理器を提供することができる。
【００５０】
また、コイルユニット２ａはばね２５上に載置されており、シールド板２４に形成された位置決め用突起２１がばね２５に挿入されることでコイルユニット２ａの位置決めを行っている。これにより、組立時や運搬時にコイルユニット２ａがずれることはない。また、ばね２５の復元力によってコイルユニット２ａはフレーム２３ｃに当接されている。そのため、部品の寸法バラつきで天板２３ａ裏面と水平面部１５ａｃの寸法が変化した場合、外郭１５や支持部材１８が重量でたわみ、支持部材１８と天板２３ａ裏面との距離が広がった場合、または天板２３ａ自体が湾曲した場合においてもコイルユニット２ａと天板２３ａ裏面との距離を一定に保つことができる。よって、コイルユニット２ａと被加熱物Ｐとの距離に大きく依存する誘導加熱調理器の加熱性能や内部部品の発熱量を安定させることができる。これにより、品質バラツキの少ない信頼性の高い誘導加熱調理器を提供することができる。
【００５１】
また、コイルユニット２ａ〜２ｄは、外郭側面１５ａおよび支持部材１８により支持される構成が採用されている。そのため、外郭側面１５ａを橋渡ししている支持部材１８の配置を調整することで、多様な大きさ、形状のコイルユニットの支持に対応することができる。よって、誘導加熱調理器において部品の共用化が図りやすくなる。
【００５２】
また、通常、外郭１５は剛性を確保するために金属で形成される。ここで、本実施の形態２においては、外郭側面１５ａに水平面部１５ａｃが設けられているため、外郭底面１５ｂの面積を小さく構成できる。さらに、操作基板１６やコイルユニット２ａ〜２ｄなどが水平面部１５ａｃに支持されているため、重量物による荷重を分散できる。そのため、水平面部１５ａｃの下方に延びる外郭側面１５ａ（第２の側面１５ａｂ）や外郭底面１５ｂは例えば樹脂製の部材によって形成しても強度を保つことができる。この場合、誘導加熱調理器全体としての重量を軽減可能であるとともに、加工性の向上や材料費削減の面からも効果がある。
【００５３】
なお、ばね２５はゴムなどの弾性体で代用してもよい。当該弾性体がコイルユニットを上方に付勢してトッププレートユニットに常に押し付けさえすれば、同様に部品の寸法バラツキを吸収してコイルユニット２ａと被加熱物Ｐとの距離との距離を安定化することができるのである。
【００５４】
また、フレーム２３ｃを天板支持金具２３ｂに固定することで、フランジ２２をフレーム２３ｃに押し当てられたことによって生じる上向きの荷重は天板支持金具２３ｂに伝わる。そのため、天板２３ａと天板支持金具２３ｂを引き剥がす方向に上向きの荷重がそのまま加わらない。よって、長期の使用においても天板２３ａと天板支持金具２３ｂが分離して不安全な状態になることは無く、長期信頼性の高い誘導加熱調理器を提供することができる。
【００５５】
なお、フレーム２３ｃと天板支持金具２３ｂとは一つの部品で構成してもよい。これによって部品点数が少なくなり、生産性の高い誘導加熱調理器を構成することができる。
【００５６】
なお、上述の説明では、操作基板の外周が外郭内において水平方向に開放されている場合を例として説明したが、操作基板保持部材により保持された状態の操作基板において、外周の少なくとも一部が水平方向に開放されているような場合であってもよい。
【００５７】
なお、上記様々な実施の形態のうちの任意の実施の形態を適宜組み合わせることにより、それぞれの有する効果を奏するようにすることができる。
【００５８】
本発明は、添付図面を参照しながら好ましい実施の形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００５９】
以上のように、本発明にかかる誘導加熱調理器は、簡単な構成で操作基板を外郭側面に固定できるため、操作基板保持部の本体内の占有スペースを小さくすることができるので、あらゆるタイプの誘導加熱調理器の用途にも適用できる。
【符号の説明】
【００６０】
Ｐ  被加熱物
１  天板
２  コイルユニット
２ａ、２ｂ、２ｃ、２ｄ  コイルユニット
３  操作基板
４  外郭
４ａ  外郭側面
４ｂ  外郭底面
４ｃ  開口部
４ｄ  ねじ孔
５  制御基板
６  操作基板保持部材（保持部材（操作基板保持部））
６ａ  水平保持部
６ｂ  固定部
６ｂｂ  取り付け孔
６ｃ  垂直保持部
６ｄ  突出部
６ｅ  ロック機構
６ｆ  回転防止部
７  外郭貫通孔
８  取り付け孔
９  ねじ
１０  ねじ
１１  制御基板保持部材
１２  天板支持金具
１３  トッププレートユニット
１４  端子
１５  外郭
１５ａ  外郭側面
１５ａａ  第１の側面
１５ａｂ  第２の側面
１５ａｃ  水平面部
１５ｂ  外郭底面
１５ｃ  開口部
１５ｄ  フランジ
１５ｅ  外郭貫通孔
１６  操作基板
１６ａ  取り付け孔
１７  操作基板保持部材（保持部材（操作基板保持部））
１７ａ  固定部材
１８  支持部材
１８ａ  支持部材貫通孔
１９  絶縁板
１９ａ  絶縁板貫通孔
２０  突起
２１  位置決め用突起
２２  フランジ
２３  トッププレートユニット
２３ａ  天板
２３ｂ  天板支持金具
２３ｃ  フレーム
２４  シールド板
２５  ばね
２６  配線パターン
２７  凸部
２７ａ  ねじ孔
【図１】
2015040865.tif 000003
【図２】
2015040865.tif 000004
【図３】
2015040865.tif 000005
【図４】
2015040865.tif 000006
【図５】
2015040865.tif 000007
【図６】
2015040865.tif 000008
【図７】
2015040865.tif 000009
【図８】
2015040865.tif 000010
【図９】
2015040865.tif 000011
【図１０】
2015040865.tif 000012
【図１１】
2015040865.tif 000013
【図１２】
2015040865.tif 000014
【国際調査報告】
2015040865.tif 000015
2015040865.tif 000016
2015040865.tif 000017
2015040865.tif 000018